(57)【要約】【課題】例えばトラクタ１のボンネット３上面側に給油口３６を有する構造に燃料タンク３５を設置しても、給油タンク２９をタンク載せ台３０に持ち上げ支持させることにより、給油口３６に給油ホース３７を差し込んだ後で、給油タンク２９を持ち上げて給油を行うことができ、給油作業性を向上させることができると共に、農作業中、タンク載せ台３０を収納することにより、前方視界を妨げることなく、畦に沿って走行する作業など、運転操作性の確保などを容易に行うことができる。【解決手段】収納自在なタンク載せ台３０を設けることを特徴とする。【選択図】        図２
2004338541.tif 000002
【特許請求の範囲】
【請求項１】
収納自在なタンク載せ台を設けることを特徴とする農作業車。
【請求項２】
作業者が搭乗するステップをフートガードで囲み、フートガードにタンク載せ台を収納可能に設けることを特徴とする請求項１に記載の農作業車。
【請求項３】
給油タンクをタンク載せ台に載せたとき、本機の燃料タンクの給油口に給油タンクの給油ホースが届く高さに、給油タンクを支持させるように、タンク載せ台を設けることを特徴とする請求項１に記載の農作業車。
【発明の詳細な説明】
【０００１】
【発明の属する技術分野】
本発明は例えばトラクタまたは田植機などの農作業車に関する。
【０００２】
【従来の技術】
従来、エンジンを覆うボンネット内部に燃料タンクを設け、該タンクの給油口をボンネット上面に配置させる技術がある。（例えば特許文献１参照）
【０００３】
【特許文献１】特開２００３−３４１５１
【０００４】
【発明が解決しようとする課題】
前記従来技術は、地上の作業者に対してボンネット上面の給油口が高位置となり、給油タンクを高位置に持ち上げたり、作業者が給油タンクを持ってステップに乗る必要があり、燃料の補給が面倒であり、また燃料を給油口の外側に漏らし易い等の不具合がある。
【０００５】
【課題を解決するための手段】
然るに、本発明は、請求項１の如く、収納自在なタンク載せ台を設けるもので、例えばトラクタのボンネット上面側に給油口を有する構造に燃料タンクを設置しても、給油タンクをタンク載せ台に持ち上げ支持させることにより、給油口に給油ホースを差込んだ後で給油タンクを持ち上げて給油を行い得、給油作業性を向上し得ると共に、農作業中、タンク載せ台を収納することにより、前方視界を妨げることなく、畦に沿って走行する作業など、運転操作性の確保などを容易に行い得るものである。
【０００６】
また、請求項２の如く、作業者が搭乗するステップをフートガードで囲み、フートガードにタンク載せ台を収納可能に設けるもので、高剛性のフートガードを取付フレームとして兼用してタンク載せ台を設置し得、かつステップの側部または下面側を利用してタンク載せ台を収納位置に支持し得るものである。
【０００７】
また、請求項３の如く、給油タンク載せ台に載せたとき、本機の燃料タンクの給油口に給油タンクの給油ホースが届く高さに、給油タンクを支持させるように、タンク載せ台を設けるもので、給油タンクを載せ台に載せる作業、並びに載せ台の給油タンクから燃料タンクに燃料を補給する作業をスムーズに行い得、給油作業の省力化並びに給油作業時の燃料漏れ防止などを容易に図り得るものである。
【０００８】
【発明の実施の形態】
以下、本発明の実施例を図面に基づいて詳述する。図１は全体側面図を示し、図中１はトラクタであり、エンジン２を内設させるボンネット３両側に左右の前輪４を装設させ、前記ボンネット３後部に丸形操行ハンドル５を設け、該ハンドル５後方に運転席６を配置させ、運転席６両側外方に左右の後輪７を装設させる。
【０００９】
さらに、図２乃至図７に示す如く、運転席６に座乗する作業者が足を載せるステップ２０の前側に、前輪４側から泥水が飛散するのを防ぐフートガード２１を設け、フートガード２１の四角パイプ形のガードフレーム２２にロック板２３を溶接固定させ、ロック板２３に支点軸２４を溶接固定させ、位置決めブラケット２５と載せ台アーム２６をボス２７に溶接固定させ、ボス２７に支点軸２４を挿入させてボルト２８止め固定させ、ブラケット２５とアーム２６を支点軸２４に回転自在に軸支させるもので、１８リットル用の給油タンク２９を載せるタンク載せ台３０を前記アーム２６に固定させる。
【００１０】
また、収納用及び作業用のロック穴３１・３２をロック板２３に開設し、ロック穴３１・３２にバネ３３によって弾圧係入させるロックピン３４を前記ブラケット２５に設け、バネ３３に抗してロックピン３４をロック穴３１・３２から脱出させ、支点軸２４周りに載せ台アーム２６を回転させ、図２及び図３のステップ２０下面側の収納位置または図４のボンネット３側分の作業位置にタンク載せ台３０を移動させ、ロック穴３１・３２にロックピン３４を弾圧係入させて前記の収納位置または作業位置にタンク載せ台３０を固定させ、給油タンク２９を作業位置の載せ台３０に上載せさせる。
【００１１】
そして、図８に示す如く、ボンネット３内部に燃料タンク３５を内設させ、タンク３５の給油は３６をボンネット３上面側に設ける構造において、作業位置の載せ台３０の地上高（Ｈ）を、載せ台３０上の給油タンク２９の給油ホース３７が給油口３６に届く高さに形成するもので、一般的なタンク２９では、載せ台３０から給油口３６までの高さ（ｈ）が略特定させるから、給油口３６との高さを限定した載せ台３０に対して特定のタンク２９を使用する必要がなく、地上の作業者が作業位置の載せ台３０にタンク２９を載せた後、例えばステップ２０上に作業者が移動し、給油口３６にホース３７を差込み、給油タンク２９を持ち上げて燃料タンク３５に燃料を補給する。
【００１２】
上記から明らかなように、収納自在なタンク載せ台３０を設けるもので、例えばトラクタ１のボンネット３上面側に給油口３６を有する構造に燃料タンク３５を設置しても、給油タンク２９をタンク載せ台３０に持ち上げ支持させることにより、給油口３６に給油ホース３７を差し込んだ後で給油タンク２９を持ち上げて給油を行え、給油作業性を向上させると共に、農作業中、タンク載せ台３０を収納することにより、前方視界を妨げることなく、畦に沿って走行する作業など、運転操作性の確保などを容易に行える。
【００１３】
また、作業者が搭乗するステップ２０をフートガード２１で囲み、フートガード２１にタンク載せ台３０を収納可能に設け、高剛性のフートガード２１を取付フレームとして兼用してタンク載せ台３０を設置させ、かつステップ２０の側部または下面側を利用してタンク載せ台３０を収納位置に支持すると共に、給油タンク２９をタンク載せ台３０に載せたとき、本機の燃料タンク３５の給油口３６に給油タンク２９の給油ホース３７が届く高さに、給油タンク２９を支持させるように、タンク載せ台３０を設け、給油タンク２９をタンク載せ台３０に載せる作業、並びに載せ台３０の給油タンク２９から燃料タンク３５に燃料を補給する作業をスムーズに行え、給油作業の省力化並びに給油作業時の燃料漏れ防止などを容易に図る。
【００１４】
さらに、図８、図９、図１０に示す如く、載せ台アーム２６とタンク載せ台３０を同位置鈑金材で一体形成し、ガードフレーム２２に支点板３８をぼると３９止め固定させ、支点板３８の支点軸２４に載せ台アーム２６を回転自在に軸支させると共に、前記アーム２６と支点板３８のバネフック４０・４１間に支点越えバネ４２を連結させ、ステップ２０上面と側面の角隅部の収納位置またはボンネット３側方の作業位置にタンク載せ台３０をバネ４２によって弾圧支持させてもよい。また、図１１に示す如く、ステップ２０側部の収納位置で、タンク載せ台３０を蝶ボルト４３によってステップ２０に固定させ、載せ台３０のガタツキをなくしてもよい。
【００１５】
さらに、図１２、図１３に示す如く、ステップ２０上のペダルの存在などによってタンク載せ台３０の幅（タンク２９載せ面積）を充分に確保しにくい構造において、載せ台３０に支え棒４４を出入自在に設け、載せ台３０から突出させる支え棒４４によって給油タンク２９の支持幅を確保し、載せ台３０上のタンク２９底部の変形を低減させてもよい。また図１４、図１５に示す如く、前記支え棒４４に代えて支え板４５をタンク載せ台３０にカシメピン４６を介して折り畳み自在に設け、支え板４５によって給油タンク２９を支持してもよく、支え板４５を約９０度の角度で回転させるストッパ４７を支え板４５に設けることが可能になる。
【００１６】
【発明の効果】
以上実施例から明らかなように本発明は、請求項１の如く、収納自在なタンク載せ台３０を設けるもので、例えばトラクタ１のボンネット３に上面側に給油口３６を有する構造に燃料タンク３５を設置しても、給油タンク２９をタンク載せ台３０に持ち上げ支持させることにより、給油口３６に給油ホース３７を差し込んだ後で、給油タンク２９を持ち上げて給油を行うことができ、給油作業性を向上させることができると共に、農作業中、タンク載せ台３０を収納することにより、前方視界を妨げることなく、畦に沿って走行する作業など、運転操作性の確保などを容易に行うことができるものである。
【００１７】
また、請求項２の如く、作業者が搭乗するステップ２０をフートガード２１で囲み、フートガード２１にタンク載せ台３０を収納可能に設けるもので、高剛性のフートガード２１を取付フレームとして兼用してタンク載せ台３０を設置でき、かつステップ２０の側部または下面側を利用してタンク載せ台３０を収納位置に支持させることができるものである。
【００１８】
また、請求項３の如く、給油タンク２９をタンク載せ台３０に載せたとき、本機の燃料タンク３５の給油口３６に給油タンク２９の給油ホース３７が届く高さに、給油タンク２９を支持させるように、タンク載せ台３０を設けるもので、給油タンク２９をタンク載せ台３０に載せる作業、並びに載せ台３０の給油タンク２９から燃料タンク３５に燃料を補給する作業をスムーズに行うことができ、給油作業の省力化並びに給油作業時の燃料漏れ防止などを容易に図ることができるものである。
【図面の簡単な説明】
【図１】トラクタの側面図。
【図２】タンク載せ台部の側面図。
【図３】同背面図。
【図４】同斜視図。
【図５】同分解斜視図。
【図６】図４のＡ−Ａ視図。
【図７】図４のＢ−Ｂ視図。
【図８】給油説明図。
【図９】タンク載せ台の変形例の側面図。
【図１０】図９の部分図。
【図１１】タンク載せ大の取付説明図。
【図１２】変形例を示すタンク載せ台の斜視図。
【図１３】図１２の使用説明図。
【図１４】変形例を示すタンク載せ台の斜視図。
【図１５】図１４の使用説明図。
【符号の説明】
２０  ステップ
２１  フートガード
２９  給油タンク
３０  タンク載せ台
３５  燃料タンク
３６  給油口
３７  給油ホース
【図１】
2004338541.tif 000003
【図２】
2004338541.tif 000004
【図３】
2004338541.tif 000005
【図４】
2004338541.tif 000006
【図５】
2004338541.tif 000007
【図６】
2004338541.tif 000008
【図７】
2004338541.tif 000009
【図８】
2004338541.tif 000010
【図９】
2004338541.tif 000011
【図１０】
2004338541.tif 000012
【図１１】
2004338541.tif 000013
【図１２】
2004338541.tif 000014
【図１３】
2004338541.tif 000015
【図１４】
2004338541.tif 000016
【図１５】
2004338541.tif 000017